(57)【要約】      （修正有）【課題】子供でも簡単に開閉操作して組立てることができる組立式収納箱を提供する。【解決手段】所定の立体的形態に組み立てるための１枚の厚紙を裁断して成る箱体材で、この箱体材の背面部２４の右端部は曲折して左側面部１５を形成し、この左側面部は連継して右側面部４方向に正面部２を形成し、この正面部の上側辺部には立上側面部を形成し、前記背面部の左側部の折曲線を経由して設けた連接部３３を介して中板部３２を設け、立上側面部の左側部には仕切部３８を経由して上端部３９を設け、立上側面部を折曲線の箱内側に折り曲げて仕切部を設け、その上端部を中板部に接着することにより複数の空間部ａ、ｂを形成するものである。【選択図】図２
0003229490.tif 000002
【実用新案登録請求の範囲】
【請求項１】
所定の立体的形態に組み立てるための１枚の厚紙を裁断して成る箱体材であり、この箱体材の背面部の右端部は曲折して左側面部を形成し、この左側面部は連継して右側面部方向に正面部を形成し、この正面部の上側辺部には立上側面部を形成し、前記背面部の左側部の折曲線を経由して設けた連接部を介して中板部を設け、前記立上側面部の左側部には仕切部を経由して上端部を設け、前記立上側面部を折曲線の箱内側に折り曲げて仕切部を設け、その上端部を中板部に接着することにより複数の空間部を形成することを特徴とする組立式収納箱。
【考案の詳細な説明】
【技術分野】
【０００１】
本考案は、子供でも簡単に開閉操作して箱体に組立てることができる組立式収納箱に関するものである。
【背景技術】
【０００２】
本考案は、基本的には先願の実願２０１９−２３７７号に係る考案の延長線上に存在するものであるところ、他に先行文献となるものは下記するもの以外には存在しない。
【先行技術文献】
【特許文献】
【０００３】
【特許文献１】実願２０２０−３１６６号
【考案の概要】
【考案が解決しようとする課題】
【０００４】
本考案は、子供でも簡単に開閉操作して組立てることができる組立式収納箱を提供することを目的とするものである。
【課題を解決するための手段】
【０００５】
本考案は、所定の立体的形態に組み立てるための１枚の厚紙を裁断して成る箱体材であり、この箱体材の背面部の右端部は曲折して左側面部を形成し、この左側面部は連継して右側面部方向に正面部を形成し、この正面部の上側辺部には立上側面部を形成し、前記背面部の左側部の折曲線を経由して設けた連接部を介して中板部を設け、前記立上側面部の左側部には仕切部を経由して上端部を設け、前記立上側面部を折曲線の箱内側に折り曲げて仕切部を設け、その上端部を中板部に接着することにより複数の空間部を形成するものである。
【考案の効果】
【０００６】
本収納箱は、小売，購入時には薄厚状態に折り畳まれているものではあるけれども、これを各自が個別に使用するためにそれぞれの部分を開拡すれば、各角端部が直角形状の箱体と化することから、その箱体内部に形成される複数の空間部分に対し任意各種の物品を収納配置する作業を、子供は楽しみながら迅速に行うことができるのであり、その取扱いは自由であり簡単である。
【図面の簡単な説明】
【０００７】
【図１】立体的形態に組立て前の厚紙全体の展開図
【図２】図１の展開図の組立て後の全体状態の斜視図
【図３】図２の組立状態図の圧縮小型化状態にした形態の正面図
【図４】図２の組立状態図の圧縮小型化状態にした形態の背面図
【考案を実施するための形態】
【０００８】
図１に示した厚紙全体の展開図にあるとおり、各折曲線等を子供は見ながら折り曲げることによって立体的形態に自然に組み上げることができるのである。
【実施例】
【０００９】
１は所定の立体的形態に組み立てるために１枚の厚紙を、以下のように適当に裁断して成る箱体材で、この箱体材は図１に示した展開図に示す以下の各部分から成るものである。
【００１０】
２は表紙部の正面部で、この正面部の右側部には折曲部３を経由して右側面部４を構成する。
【００１１】
５は前記右側面部４の上側部で、前記右側面部４の下端部には切込部７を介して曲折する底端部６を設ける。
【００１２】
８は前記正面部２の下端部の折曲線１０を経由して切込部９，９を介して曲折する底面部で、この底面部の一端部には折曲線１１を経て片端部１２を設ける。
【００１３】
１３は前記底面部８の外側辺一部に設けた端面部で、この端面部の一部には続けて折曲片端部１４を設ける。
【００１４】
１５は前記正面部２の左側部に折曲線１６を経由して設けた左側面部で、この左側面部にはさらに折曲線１７を経由して背面部２４を形成する。
【００１５】
この背面部２４の上側部においては窓口１８と折曲部１９とを設けるが、この背面部２４の上側端部には折曲部２０を経由して補強部２１を設け、この補強部は前記背面部２４の上側面部に折曲して接着し当該部分の強度を保持するようにする。前記窓口１８と折曲部１９との部分は、子供が平手指部分を合わせて全部挿入して手持ちすることができる部分となる。
【００１６】
２２は前記背面部２４の下端部の折曲部２３を経由して切込部２５，２５を介して設けた底面部で、この底面部の一端部には折曲線２６を経て端面部２７を設ける。
【００１７】
２８は前記左側面部１５の底面部の下端部の折曲線２９を経由して切込部３０を介して設けている端面部である。
【００１８】
４０は前記底面部２２の外側辺一部に設けた端面部で、この端面部の一部には続けて折曲片端部４１を設ける。
【００１９】
３２は前記背面部２４の左側部の折曲線３１を経由して設けた連接部３３と折曲線３４を介して設けた中板部である。
【００２０】
この中板部３２には、横端部分に折曲線３５を介して補強片部３６を設けているが、この補強片部３６は、全体を曲折構成した時には、前記左側面部１５に接着して当該部分を補強するものである。
【００２１】
３７は前記正面部２の上端部に折曲線４０を介して設けた立上側面部で、この立上側面部の左側部には仕切部３８を経由して上端部３９を設ける。
【００２２】
全体の組立て時には、前記右側面部４を前記連接部３３に接着し、また立上側面部３７を折曲線４０で箱内側に折り曲げて仕切部３８を立設し、その上端部３９を中板部３２に予め製作工場において接着することによって、使用時において空間部ａ，ｂが仕切り形成されるようになるのである。
【符号の説明】
【００２３】
ａ                            空間部
ｂ                            空間部
１                            箱体材
２                            正面部
３                            折曲部
４                            右側面部
５                            上側部
６                            底端部
７                            切込部
８                            底面部
９，９                        切込部
１０                          折曲線
１１                          折曲線
１２                          片端部
１３                          端面部
１４                          折曲片端部
１５                          左側面部
１６                          折曲線
１７                          折曲線
１８                          窓口
１９                          折曲部
２０                          折曲部
２１                          補強部
２２                          底面部
２３                          折曲部
２４                          背面部
２５，２５                    切込部
２６                          折曲線
２７                          端面部
２８                          端面部
２９                          折曲線
３０                          切込部
３１                          折曲線
３２                          中板部
３３                          連接部
３４                          折曲線
３５                          折曲線
３６                          補強片部
３７                          立上側面部
３８                          仕切部
３９                          上端部
４０                          折曲線
４１                          端面部
４２                          折曲片端部
【図１】
0003229490.tif 000003
【図２】
0003229490.tif 000004
【図３】
0003229490.tif 000005
【図４】
0003229490.tif 000006